(57)【要約】【課題】容易にスパッタを除去することができるスパッタ除去具を提供することを目的とする。【解決手段】スパッタ除去具１０を、溶接トーチＺのノズルＮとチップＫを挿入可能なノズルガイド部２２が配設される本体部２０と、本体部２０と摺動可能に形成された保持ベース部３０と、保持ベース部３０から延設された少なくとも一つの除去片４１と、を備える構成とする。除去片４１は、ノズルＮの内周面Ｎ１と接触可能とされ、ノズルＮの内周面Ｎ１とチップＫの外周面Ｋ１との間の隙間部分に除去片４１を挿入した後、溶接トーチＺのノズルＮに対して除去片４１を回転させ、回転方向前側の短手方向の端縁部４１ｃ、４２ｃにより、ノズルＮの内周面Ｎ１に付着したスパッタを除去可能とする。【選択図】図７
2014172064.tif 000002
【特許請求の範囲】
【請求項１】
溶接トーチのノズル及びチップを挿入可能な円筒状に形成され、内周面が前記ノズルの外周面をガイド可能に形成されたガイド部と、
前記ノズルの先端面を受け止め前記ノズル及び前記チップの挿入範囲を決める位置決め部と、
を有するノズルガイド部と、
前記ノズルの内周面と前記チップの外周面との間の隙間部分に、前記ノズルの軸線方向に沿って進入して前記ノズルに付着したスパッタを除去する除去部と、
を備えるスパッタ除去具であって、
前記除去部は、長尺平板状に形成された少なくとも一つの除去片を備えて構成され、
前記除去片は、前記ノズルの挿入方向からみて前記ノズルガイド部の中心線の周り、かつ、前記ノズルの挿入方向に沿って、配置され、
前記位置決め部で前記ノズルの先端面を受け止めた後、前記除去片の回転方向前側の短手方向の端縁部が前記ノズルの中心線に沿って線状に配置され、かつ、前記ノズルに対して前記除去片を回転させたときに、前記ノズルの内周面に接触可能として、前記ノズルの内周面に付着したスパッタを除去可能とされていることを特徴とするスパッタ除去具。
【請求項２】
筒状に形成され一端側に前記ノズルガイド部が配設される本体部と、
一端側から前記除去部が延設され、前記除去部が前記ノズルガイド部側となるように前記本体部の挿通穴を経て内側に嵌められるとともに前記本体部の軸線方向に沿って摺動可能に形成され前記除去部を保持する保持ベース部と、
を有し、
前記除去片が、前記ガイド部に前記ノズル及び前記チップが挿入されるときに、前記溶接トーチの前記ノズル及び前記チップと干渉しない位置に退避した退避位置と、前記ノズルの内周面と前記チップの外周面との間の隙間部分への進入が完了した進入完了位置との間で、往復移動可能とされていることを特徴とする請求項１に記載のスパッタ除去具。
【請求項３】
前記保持ベース部が前記本体部に対して中心線を軸として回転することを防止する回転防止手段を有していることを特徴とする請求項２に記載のスパッタ除去具。
【請求項４】
前記除去部が、複数の前記除去片と、各前記除去片を先端側で連結する連結部と、を備え、
前記連結部には、前記チップをガイド可能なガイド孔が形成されていることを特徴とする請求項１、２又は３に記載のスパッタ除去具。
【請求項５】
前記除去部が、複数の前記除去片を備え、
各前記除去片は、弾性変形可能な部材で前記ノズルの内周面を圧接可能に形成され、
前記ノズルガイド部には、各前記除去片を外側から拘束する円環状の押え部を有していることを特徴とする請求項２又は３に記載のスパッタ除去具。
【発明の詳細な説明】
【技術分野】
【０００１】
本発明は、溶接トーチのノズルの内周面及びチップの外周面に付着したスパッタを除去するスパッタ除去具に関するものである。
【背景技術】
【０００２】
通常、溶接作業では、ノズルの内周面及びチップの外周面にスパッタが付着して、シールドガスの流れに乱れが発生し、溶接不良を引き起こす原因となっていた。
【０００３】
これに対し、特許文献１に記載のスパッタ除去具では、チップ外径より若干大径に形成されたスパッタ除去パイプと、ノズルの外径より若干大径かつスパッタ除去パイプより長く形成されたノズル誘導・保持パイプと、孔が設けられた基板と、を有し、孔を中心として基板同心円上に、スパッタ除去パイプとノズル誘導・保持パイプとを固定していた。
【０００４】
ノズルにスパッタが付着したら、スパッタ除去パイプとノズル誘導・保持パイプとの間の隙間にノズルを挿入し、ノズル外周面とノズル誘導・保持パイプの内周面との間の隙間を利用してノズルを振りながら押し込んでスパッタを除去していた。
【先行技術文献】
【特許文献】
【０００５】
【特許文献１】特開平７−１１４５号公報
【発明の概要】
【発明が解決しようとする課題】
【０００６】
しかし、上記スパッタ除去具では、スパッタ除去パイプの軸方向に沿って、ノズルを押し込み、スパッタ除去パイプの先端のエッジでスパッタを除去する構成とされ、ノズルの内径は、スパッタ除去パイプの外径より若干小さい径とされて、スパッタ除去パイプの先端のエッジとノズル内周面とは接触部分が少ないので、スパッタ除去パイプの軸方向に沿って及び軸方向に対して斜めに何度もトーチを出し入れし、かつ、回転させる必要があり、煩雑な動作をしなければならず、ノズル内周面に付着したスパッタを効率よく除去できないという問題があった。
【０００７】
本発明は、上記の課題を解決するものであり、容易にスパッタを除去することができるスパッタ除去具を提供することを目的とする。
【課題を解決するための手段】
【０００８】
＜請求項１の説明＞
本発明に係るスパッタ除去具は、溶接トーチのノズル及びチップを挿入可能な円筒状に形成され、内周面が前記ノズルの外周面をガイド可能に形成されたガイド部と、
前記ノズルの先端面を受け止め前記ノズル及び前記チップの挿入範囲を決める位置決め部と、
を有するノズルガイド部と、
前記ノズルの内周面と前記チップの外周面との間の隙間部分に、前記ノズルの軸線方向に沿って進入して前記ノズルに付着したスパッタを除去する除去部と、
を備えるスパッタ除去具であって、
前記除去部は、長尺平板状に形成された少なくとも一つの除去片を備えて構成され、
前記除去片は、前記ノズルの挿入方向からみて前記ノズルガイド部の中心線の周り、かつ、前記ノズルの挿入方向に沿って、配置され、
前記位置決め部で前記ノズルの先端面を受け止めた後、前記除去片の回転方向前側の短手方向の端縁部が前記ノズルの中心線に沿って線状に配置され、かつ、前記ノズルに対して前記除去片を回転させたときに、前記ノズルの内周面に接触可能として、前記ノズルの内周面に付着したスパッタを除去可能とされていることを特徴とする。
【０００９】
本発明に係るスパッタ除去具では、位置決め部でノズルの先端面を受け止めるまでガイド部に溶接トーチのノズル及びチップを挿入して、その後、ノズルに対して除去片を回転させながら引き離す方向に引っ張るという簡単な動作で、除去片の回転方向前側の短手方向の端縁部により、ノズルの内周面に付着したスパッタを除去する。
【００１０】
よって、ノズルガイド部の中心線に沿って及び軸方向に対して斜めに何度もトーチを出し入れし、かつ、回転させる必要がなくなり、容易にスパッタを剥離、除去することができる。
【００１１】
また、位置決め部により、ノズル及びチップの挿入範囲が決められるので、除去片が進入し過ぎて、溶接トーチのノズル及びチップ以外の部分を傷つけたり、除去片の進入が足りなくて、スパッタの除去が足りなくなったりして、溶接不良を引き起こすことを防止することができる。
【００１２】
＜請求項２の説明＞
本発明に係るスパッタ除去具では、筒状に形成され一端側に前記ノズルガイド部が配設される本体部と、
一端側から前記除去部が延設され、前記除去部が前記ノズルガイド部側となるように前記本体部の挿通穴を経て、内側に嵌められるとともに前記本体部の軸線方向に沿って摺動可能に形成され前記除去部を保持する保持ベース部と、
を有し、
前記除去片が、前記ガイド部に前記ノズル及び前記チップが挿入されるときに、前記溶接トーチの前記ノズル及び前記チップと干渉しない位置に退避した退避位置と、前記ノズルの内周面と前記チップの外周面との間の隙間部分への進入が完了した進入完了位置との間で、往復移動可能とすることが望ましい。
【００１３】
このような構成では、ガイド部にノズル及びチップを挿入するときに、除去片を退避させておくことによってノズル及びチップをキズつけることを防止することが可能となるとともに、ガイド部でノズルの外周面をガイドした状態で、除去片をノズルの内周面と前記チップの外周面との間の隙間部分へ進入させることが可能となるので、除去片によってノズル及びチップをキズつけることを防止することができる。このことは、ノズル及びチップにキズがあると、スパッタが付着しやすくなるので、スパッタ除去後の溶接作業において、ノズル内のガスの乱流の発生を抑制してスパッタの付着を防止することに寄与する。
【００１４】
＜請求項３の説明＞
前記保持ベース部が前記本体部に対して中心線を軸として回転することを防止する回転防止手段を有していることを特徴とする。
【００１５】
保持ベース部と本体部を一体で回転させることになるので、ノズルに対して除去片を回転させながら引き離す方向に引っ張る作業を容易にすることができる。
【００１６】
＜請求項４の説明＞
前記除去部が、複数の前記除去片と、各前記除去片を先端側で連結する連結部と、を備え、前記連結部には、前記チップをガイド可能なガイド孔が形成されている。
【００１７】
これによれば、各除去片の自由端側を連結部で連結することで、強度を向上させるとともに、ガイド孔によりチップをガイドすることで、ガイド部にノズル及びチップを挿入するとき、除去片をノズルの内周面とチップの外周面との間の隙間部分へ進入させるときに、芯合わせをしやすくすることができる。
【００１８】
＜請求項５の説明＞
請求項２の発明において、前記除去部が、複数の前記除去片を備え、
各前記除去片は、弾性変形可能な部材で前記ノズルの内周面を圧接可能に形成され、
前記ノズルガイド部には、各前記除去片を外側から拘束する円環状の押え部を有していることを特徴とする。
【００１９】
これによれば、押え部により、ガイド部にノズル及びチップを挿入するときに、退避位置では各除去片を縮径状態とし、除去片によってノズル及びチップをキズつけることを防止し、進入完了位置に至るまで徐々に拡径させ、ノズルに対して除去片を回転させながら引き離す方向に引っ張ることで、容易にスパッタを剥離、除去することができる。また、スパッタ除去後の溶接作業において、スパッタの付着を防止したりすることもできる。
【００２０】
特に、小径のノズルを使用するときで、複数の除去片を先端側どうしで連結することが困難な場合に好適である。
【図面の簡単な説明】
【００２１】
【図１】本発明における第一の実施形態のスパッタ除去具の除去片が退避位置にあるときの側断面図である。
【図２】同実施形態のスパッタ除去具の除去片が進入完了位置にあるときの側断面図である。
【図３】同実施形態のスパッタ除去具の分解斜視図である。
【図４】同実施形態のスパッタ除去具の排出孔からスパッタを排出する状態の斜視図である。
【図５】スライド部の（ａ）側面図、（ｂ）底面図、（ｃ）正面図である。
【図６】除去部の（ａ）正面図、（ｂ）底面図、（ｃ）側面図である。
【図７】同実施形態のスパッタ除去具にノズルを挿入した状態の側断面図である。
【図８】同実施形態のスパッタ除去具の（ａ）図７における正面図、（ｂ）スパッタ除去具を回転させた状態の正面図、である。
【図９】溶接トーチの（ａ）ノズル及びチップが取り付けられた状態、（ｂ）ノズルを取り外した状態の斜視図である。
【図１０】本発明における第二の実施形態のスパッタ除去具の除去片が退避位置にあるときの側断面図である。
【図１１】同実施形態のスパッタ除去具の除去片が進入完了位置にあるときの側断面図である。
【図１２】同実施形態のスパッタ除去具の分解斜視図である。
【図１３】同実施形態のスパッタ除去具の排出孔からスパッタを排出する状態の斜視図である。
【図１４】スライド部の（ａ）側面図、（ｂ）底面図、（ｃ）正面図、である。
【図１５】除去部の（ａ）平面図、（ｂ）側面図、である。
【図１６】同実施形態のスパッタ除去具にノズルを挿入した状態の側断面図である。
【図１７】同実施形態のスパッタ除去具の（ａ）図１６における正面図、（ｂ）スパッタ除去具を回転させた状態の正面図、である。
【発明を実施するための形態】
【００２２】
本発明におけるスパッタ除去具の第一の実施形態を図面に基づいて説明する。以下の説明では、各図面の矢印の、Ｆを前、ＲＥを後ろ、Ｒを右、Ｌを左、Ｕを上、Ｄを下、とする。なお、各図面における中心線Ｃは、スパッタ除去具１０の軸線であるとともに、溶接トーチＺの軸線であるものとする。
【００２３】
スパッタ除去具１０は、ハンド溶接機に用いられる手工具として適用され、図１乃至８に示すように、本体部２０と、本体部２０の内側に嵌められるとともに本体部２０の軸線方向に沿って摺動可能に形成されたスライド部２５と、スライド部２５に配設された除去部４０と、を備えている。
【００２４】
スパッタ除去具１０は、概略的には、図９（ａ）、（ｂ）に示すような、溶接トーチＺのノズルＮの内周面Ｎ１とチップＫの外周面Ｋ１との間の隙間部分に、除去部４０をノズルＮの軸線方向に沿って挿入し、その後、スパッタ除去具１０を回転させながら引き抜いて、ノズルＮに付着したスパッタを除去するものである。
【００２５】
本体部２０は、図１〜４等に示すように、カラー部２１と、ノズルガイド部２２と、を有している。
【００２６】
カラー部２１は、耐熱性を有する合成樹脂製で前後方向に沿った挿通穴２１ａを有して外径が略同一な円筒状に形成されている。
【００２７】
挿通穴２１ａは、前側に位置する大径内周面２１ｂと、大径内周面２１ｂの後側に大径内周面２１ｂより内径が小さく形成されたガイド面２１ｄと、を有している。
【００２８】
大径内周面２１ｂには、ねじが設けられ、後述するノズルガイド部２２の小径部２２ｃの雄ねじ部２２ｋと、螺合可能な雌ねじ部２１ｃとして形成されている。
【００２９】
ガイド面２１ｄは、後述する保持ベース部３０の小径部３０ａと略同一の内径で、保持ベース部３０の小径部３０ａをガイド、かつ、摺動可能に形成されている。ガイド面２１ｄの前後方向における中央部前寄りの位置には、ガイド面２１ｄからカラー部２１の外周面に貫通する矩形状の排出孔２１ｅ、２１ｆが中心線Ｃ方向からみて等間隔に二か所設けられている。各排出孔２１ｅ、２１ｆは、挿通穴２１ａ内に入ってきたスパッタを排出するためのものである。
【００３０】
カラー部２１の後端側には、上下方向に沿って外周面から内周面に貫通する一対の貫通孔２１ｇ、２１ｈが形成され、上側に位置する貫通孔２１ｇは段付き孔に形成され、下側に位置する貫通孔２１ｈは内周面にねじが形成され、後述する一つの取り付けボルト３０ｋを挿通して締結可能に形成されている。
【００３１】
カラー部２１の外周面は操作把持面とされ、前後方向に沿って外周面から中心線Ｃに向かって円弧状に凹む複数の溝２１ｉが形成されている。溝２１ｉは、中心線Ｃを軸としてスパッタ除去具１０を回転させる際に滑り止めとなるものである。
【００３２】
ノズルガイド部２２は、金属製で前後方向に沿った挿通孔２２ａを有して、前側に位置する大径部２２ｂと、大径部２２ｂの後側に大径部２２ｂより外径が小径に形成された小径部２２ｃと、を有して段付き円筒状に形成されている。
【００３３】
挿通孔２２ａは、前側に位置する大径内周面２２ｄと、大径内周面２２ｄの後側に大径内周面２２ｄより内径が小さく形成された小径内周面２２ｆと、を有している。
【００３４】
大径内周面２２ｄの内径は、ノズルＮの外径よりわずかに大径に形成され、内周面がノズルＮの外周面Ｎ２をガイド可能なガイド面２２ｅとして形成されている。
【００３５】
小径内周面２２ｆの内径は後述する保持ベース部３０の小径部３０ａの外径と略同一で、保持ベース部３０の小径部３０ａをガイド、かつ、摺動可能に形成されている。
【００３６】
大径内周面２２ｄと小径内周面２２ｆの境界部分から中心線Ｃに向かって突出する突出部２２ｇが形成され、突出部２２ｇの前側の面がノズルＮの先端面Ｎ３を受け止め、ノズルＮ及びチップＫの挿入範囲を決める位置決め面２２ｈとされている。
【００３７】
突出部２２ｇの前後方向からみた中央部には、前後方向に貫通する挿通孔２２ｉが形成され、除去部４０を挿通可能としている。
【００３８】
小径部２２ｃの外周面には、ねじが設けられ後述するカラー部２１の大径内周面２１ｂの雌ねじ部２１ｃと螺合可能な雄ねじ部２２ｋとして形成されている。
【００３９】
カラー部２１の大径内周面２１ｂの雌ねじ部２１ｃと、ノズルガイド部２２の小径部２２ｃの雄ねじ部２２ｋと、が螺合されてカラー部２１及びノズルガイド部２２が一体化され、本体部２０が構成されている。
【００４０】
スライド部２５は、図１〜５等に示すように、保持ベース部３０と、保持ベース部３０に保持される除去部４０と、を有している。
【００４１】
保持ベース部３０は、金属製で、前側に位置する小径部３０ａと、小径部３０ａの後側に小径部３０ａより大径に形成された押圧操作部３０ｂと、を有して段付き円柱状に形成されている。
【００４２】
小径部３０ａの前端側には、前後方向に沿って小径部３０ａの外周面から中心線Ｃに向かう有底溝として等間隔に形成された二つの取り付け溝３０ｃ、３０ｄが配設されている。
【００４３】
小径部３０ａには、取り付け溝３０ｃの底面から取り付け溝３０ｄの底面にむかって貫通する取付孔３０ｅが設けられている。取付孔３０ｅは、後述する除去片４１、４２を取り付け可能とするものである。
【００４４】
小径部３０ａの前端面から後方に向かって溶接ワイヤとの干渉を避けるため、左右方向の全域にわたって切り欠かれた逃がし部３０ｇが形成されている。
【００４５】
取り付け溝３０ｃ、３０ｄの後方には、小径部２０ｂの外周面から中心線Ｃ方向に向かう有底溝として形成され、スライド部２５を本体部２０と組み付けるときに位置決めの目印となる位置決め溝３０ｉが、設けられている。
【００４６】
小径部３０ａの中央部の後側には、中心線Ｃを通り、小径部２０ｂの上側の外周面から下側の外周面まで貫通して形成された、長円形状のスライド孔３０ｊが配設されている。
【００４７】
スライド孔３０ｊは、カラー部２１の貫通孔２１ｇ、２１ｈと連通可能に形成され、貫通孔２１ｇ、スライド孔３０ｊ、貫通孔２１ｈの順に取り付けボルト３０ｋを挿通して、本体部２０とスライド部２５とが組み付けられている。上記構成により、スライド部２５が本体部２０に対して中心線Ｃを軸として回転することを防止する回転防止手段８０となるとともに、取り付けボルト３０ｋとスライド孔３０ｊによりスライド部２５の前後方向への移動が規制されスライド部２５が本体部２０から抜けてしまうのを防止する抜け止め防止手段となる。
【００４８】
押圧操作部３０ｂは、スライド部２５を摺動させる際に、手で把持可能なグリップ部分として構成され、後部下側には、ストラップ等を取り付け可能なストラップホール３０ｌが設けられている。
【００４９】
除去部４０は、図１〜６等に示すように、一対の除去片４１、４２と、連結部４３と、を有している。
【００５０】
除去片４１、４２は、長尺な矩形平板状で、弾性変形可能な金属で略同一形にそれぞれ形成され、後部に左右方向に沿って貫通する貫通孔４１ａ、４２ａが一つずつ配設されている。
【００５１】
連結部４３は、除去片４１、４２の前側の端部を連結し、前後方向からみて、中央部に円形のガイド孔４３ａを有した円環状に形成され、左右方向からみて、前端部が屈曲して後側に拡開するように形成されている。
【００５２】
取り付け溝３０ｃに除去片４１を、取り付け溝３０ｄに除去片４２を配置し、取付孔３０ｅと貫通孔４１ａを、取付孔３０ｅと貫通孔４２ａとを連通させてボルト締め等して、除去片４１、４２が保持ベース部３０の小径部３０ａに固定されている。
【００５３】
ノズルＮが挿入された状態において、除去片４１及び除去片４２は、短手方向の端縁部４１ｂ、４２ｂが中心線Ｃ（ノズルＮの軸線）に沿って線状に配置され、前後方向（ノズルＮの挿入方向）からみて中心線Ｃ（ノズルガイド部２２の軸線）の周り、かつ、ノズルＮの挿入方向に沿って、配置されている。
【００５４】
換言すれば、除去片４１及び除去片４２は、前後方向からみて、ノズルＮの内周面Ｎ１の二点を結ぶ線上に位置して、かつ、互いに平行となるように配置され、短手方向の端縁部４１ｃ、４２ｃがノズルＮの内周面Ｎ１に線接触可能に形成されている。
【００５５】
スパッタ除去具１０の動作について説明する。図１に示すように、スライド部２５を、スライド孔３０ｊの前端部に取り付けボルト３０ｋが当たる位置まで本体部２０から引き出し、溶接トーチＺのノズルＮ及びチップＫと干渉しない位置に退避した退避位置に移動させる。
【００５６】
ノズルガイド部２２のガイド面２２ｅに溶接トーチＺのノズルＮ及びチップＫを、ノズルＮの先端面Ｎ３が位置決め面２２ｈに突き当たるまで挿入する。これにより、ノズルＮの先端面Ｎ３が受け止められ、ノズルＮ及びチップＫの挿入範囲が決められる。
【００５７】
このとき、連結部４３は位置決め面２２ｈより前側に突出しているが、ノズルＮの中心線Ｃに直交する方向への移動は、ガイド面２２ｅによりノズルＮの外周面Ｎ２が規制されるとともに、チップＫは先端側が細いテーパ状に形成されているので、チップＫはサイズ的な余裕をもってガイド孔４３ａに誘導され、チップＫをキズつけることはない。
【００５８】
そして、スライド部２５の押圧操作部３０ｂを手で持ち前側に押し込んで、ノズルＮの内周面Ｎ１とチップＫの外周面Ｋ１との間の隙間部分へ除去部４０を進入させる。押圧操作部３０ｂの前端面と、カラー部２１の後端面とが、突き当たるまで押し込むと、図２、７に示すように、除去部４０の進入が完了した進入完了位置に移動することになる。
【００５９】
このとき、ノズルＮの中心線Ｃに直交する方向への移動は、ガイド面２２ｅによりノズルＮの外周面Ｎ２が規制されるとともに、ガイド孔４３ａによりチップＫをガイドすることで、ノズルＮ及びチップＫの芯合わせをしやすくなる。
【００６０】
スパッタ除去具１０を、ノズルＮの中心線Ｃ（ノズルＮの軸線）に対して回転させながら引き抜く、このとき図８（ａ）、（ｂ）に示すように、ノズルＮが外れてしまわないように右回りに回すのが望ましい。
【００６１】
除去片４１及び除去片４２は、ノズルＮがノズルガイド部２２に挿入されたときに、前後方向からみて、ノズルＮの内周面Ｎ１の二点を結ぶ線上に位置して、かつ、互いに平行となるように配置されているので、除去片４１、４２の回転方向前側の短手方向の端縁部４１ｃ、４２ｃがノズルＮの内周面Ｎ１に線接触可能となり、ノズルＮの内周面Ｎ１に付着したスパッタを容易に除去になる。
【００６２】
また、貫通孔２１ｇ、スライド孔３０ｊ、貫通孔２１ｈの順に取り付けボルト３０ｋを挿通して、本体部２０とスライド部２５とが締結され、スライド部２５と本体部２０を一体で回転させることになるので、ノズルＮに対して除去片４１、４２を回転させながら引き離す方向に引っ張る作業を容易にするとともに、スライド部２５が本体部２０から抜けてしまうのを防止する。
【００６３】
ノズルガイド部２２から、溶接トーチＺのノズルＮ及びチップＫを引っ張りだして、スパッタ除去作業が終了したら、図２、７に示す進入完了位置から、図１に示す退避位置に移動させ、次の使用まで待機状態とする。
【００６４】
本発明に係るスパッタ除去具１０は、溶接トーチＺのノズルＮ及びチップＫを挿入可能な円筒状に形成され、内周面がノズルＮの外周面Ｎ２をガイド可能に形成されたガイド面２２ｅと、ノズルＮの先端面Ｎ３を受け止めノズルＮ及びチップＫの挿入範囲を決める位置決め面２２ｈと、を有するノズルガイド部２２と、ノズルＮの内周面Ｎ１とチップＫの外周面Ｋ１との間の隙間部分に、ノズルＮの軸線方向に沿って進入してノズルＮに付着したスパッタを除去する除去部４０と、を備えるスパッタ除去具であって、除去部４０は、長尺平板状に形成された除去片４１、４２を備えて構成され、除去片４１、４２は、ノズルＮの挿入方向からみてノズルガイド部２２の中心線Ｃの周り、かつ、ノズルＮの挿入方向に沿って、配置され、位置決め面２２ｈでノズルＮの先端面Ｎ３を受け止めた後、除去片４１、４２の回転方向前側の短手方向の端縁部４１ｃ、４２ｃがノズルＮの中心線Ｃに沿って線状に配置され、かつ、ノズルＮに対して除去片４１、４２を回転させたときに、ノズルＮの内周面Ｎ１に接触可能として、ノズルＮの内周面Ｎ１に付着したスパッタを除去可能とされている。
【００６５】
これによれば、位置決め面２２ｈでノズルＮの先端面Ｎ３を受け止めるまでガイド面２２ｅに溶接トーチＺのノズルＮ及びチップＫを挿入して、その後、ノズルＮに対して除去片４１、４２を回転させながら引き離す方向に引っ張るという簡単な動作で、除去片４１、４２の回転方向前側の短手方向の端縁部４１ｃ、４２ｃにより、ノズルＮの内周面Ｎ１に付着したスパッタを除去する。
【００６６】
よって、ノズルガイド部２２の中心線Ｃに沿って及び軸方向に対して斜めに何度も溶接トーチＺを出し入れし、かつ、回転させる必要がなくなり、容易にスパッタを剥離、除去することができる。
【００６７】
また、位置決め面２２ｈにより、ノズルＮ及びチップＫの挿入範囲が決められるので、除去片４１、４２が進入し過ぎて、溶接トーチＺのノズルＮ及びチップＫ以外の部分を傷つけたり、除去片４１、４２の進入が足りなくて、スパッタの除去が足りなくなったりして、溶接不良を引き起こすことを防止することができる。
【００６８】
また、筒状に形成され一端側にノズルガイド部２２が配設される本体部２０と、一端側から除去部４０が延設され、除去部４０がノズルガイド部２２側となるように本体部２０の挿通穴２１ａを経て、内側に嵌められるとともに本体部２０の軸線方向に沿って摺動可能に形成され除去部４０を保持する保持ベース部３０と、を有し、除去片４１、４２が、ガイド面２２ｅにノズルＮ及びチップＫが挿入されるときに、溶接トーチＺのノズルＮ及びチップＫと干渉しない位置に退避した退避位置と、ノズルＮの内周面Ｎ１とチップＫの外周面Ｋ１との間の隙間部分への進入が完了した進入完了位置との間で、往復移動可能とすることが望ましい。
【００６９】
このような構成では、ガイド面２２ｅにノズルＮ及びチップＫを挿入するときに、除去片４１、４２を退避させておくことによってノズルＮ及びチップＫをキズつけることを防止することが可能となるとともに、ガイド面２２ｅでノズルＮの外周面Ｎ２をガイドした状態で、除去片４１、４２をノズルＮの内周面Ｎ１とチップＫの外周面Ｋ１との間の隙間部分へ進入させることが可能となるので、除去片４１、４２によってノズルＮ及びチップＫをキズつけることを防止することができる。このことは、ノズルＮ及びチップＫにキズがあると、スパッタが付着しやすくなるので、スパッタ除去後の溶接作業において、ノズルＮ内のガスの乱流の発生を抑制してスパッタの付着を防止することに寄与する。
【００７０】
また、保持ベース部３０を本体部２０に対して中心線Ｃを軸として回転することを防止する回転防止手段８０を有している。
【００７１】
スライド部２５と本体部２０を一体で回転させることになるので、ノズルＮに対して除去片４１、４２を回転させながら引き離す方向に引っ張る作業を容易にすることができる。
【００７２】
また、除去部４０を、複数の除去片４１、４２と、各除去片４１、４２を先端側で連結する連結部４３と、をそなえる構成とし、連結部４３には、チップＫをガイド可能なガイド孔４３ａを形成している。
【００７３】
これによれば、各除去片４１、４２の自由端側を連結部４３で連結することで、強度を向上させるとともに、ガイド孔４３ａによりチップＫをガイドすることで、ガイド面２２ｅにノズルＮ及びチップＫを挿入するとき、除去片４１、４２をノズルＮの内周面Ｎ１とチップＫの外周面Ｋ１との間の隙間部分へ進入させるときに、芯合わせをしやすくすることができる。
【００７４】
本発明の第二の実施形態を図１０〜１７に基づいて説明する。以下の説明において、第一の実施形態と同じ構成については、同一符号を付し、全部又は一部の説明を省略する。
【００７５】
スパッタ除去具１０Ａにおいて、スライド部４５は、保持ベース部５０と、保持ベース部５０に保持される除去部６０と、を有している。
【００７６】
保持ベース部５０は、金属製で、前側に位置する小径部５０ａと、小径部５０ａの後側に小径部５０ａより大径に形成された押圧操作部３０ｂと、を有して段付き円柱状に形成されている。
【００７７】
小径部５０ａの前端側には、小径部５０ａの外周面から中心線Ｃに向かう有底溝として前後方向に沿って形成された二つの取り付け溝５０ｂ、５０ｃが設けられている。
【００７８】
取り付け溝５０ｂの底面から取り付け溝５０ｃの底面にむかって貫通する取付孔５０ｄが前後方向に沿って二つ設けられている。取付孔５０ｄは、後述する除去片６１、６２を取り付け可能とするものである。
【００７９】
除去部６０は、一対の除去片６１、６２で構成されている。
【００８０】
除去片６１、６２は、長尺な矩形平板状で、弾性変形可能な金属で略同一形にそれぞれ形成され、後部に左右方向に沿って貫通する貫通孔６１ａ、６２ａが二つずつ配設されている基部６１ｂ、６２ｂと、基部６１ｂ、６２ｂの前端から屈曲して外側に向かって拡開するように延設された拡開部６１ｃ、６２ｃと、をそれぞれ有している。
【００８１】
取り付け溝５０ｂに除去片６１の基部６１ｂを、取り付け溝５０ｃに除去片６２の基部６２ｂを配置し、二つずつある、取付孔５０ｄと貫通孔６１ａ、貫通孔６２ａ、とを連通させてボルト締め等して、除去片６１、６２がスライド部４５の小径部５０ａに固定されている。
【００８２】
ノズルＮがノズルガイド部２２に挿入された状態において、除去片６１及び除去片６２は、短手方向の端縁部６１ｄ、６２ｄが中心線Ｃ（ノズルＮの軸線）に沿って線状に配置され、前後方向（ノズルＮの挿入方向）からみて中心線Ｃ（ノズルガイド部２２の軸線）の周り、かつ、ノズルＮの挿入方向に沿って、配置されている。
【００８３】
換言すれば、除去片６１及び除去片６２は、前後方向からみて、ノズルＮの内周面Ｎ１の二点を結ぶ線上に位置して、かつ、互いに平行となるように配置され、外側に付勢されて短手方向の端縁部６１ｄ、６２ｄがノズルＮの内周面Ｎ１に接触可能に形成されている。
【００８４】
突出部２２ｇの挿通孔２２ｉの内周面が、除去部６０の各除去片６１、６２を外側から拘束する円環状の押え部２２ｊとして形成されている。
【００８５】
また、スパッタ除去具１０Ａは、各拡開部６１ｃ、６２ｃを、退避位置において内側に互いに引き寄せられた縮径状態と、ノズルＮの内周面Ｎ１側に向かって拡径する拡径状態と、に保持可能とする保持手段７０を有している。
【００８６】
保持手段７０は、押え部２２ｊと、各拡開部６１ｃ、６２ｃを含む各除去片６１、６２の外周面と、で構成されている。
【００８７】
スパッタ除去具１０Ａの動作について説明する。以下の説明では、スパッタ除去具１０と共通する動作については、全部又は一部の説明を省略する。
【００８８】
図１０の退避位置における各拡開部６１ｃ、６２ｃの状態を縮径状態とし、図１１の進入完了位置における各拡開部６１ｃ、６２ｃの状態を拡径状態とする。
【００８９】
スライド部４５を、位置決め溝３０ｉが視認できる位置まで本体部２０から引き出し、退避位置に移動させる。
【００９０】
図の退避位置において、押え部２２ｊは、各拡開部６１ｃ、６２ｃの端縁部６１ｄ、６２ｄと当接して各除去片６１、６２を外側から拘束することにより、各除去片６１、６２を外側に付勢した状態にするとともに、拡開部６１ｃ、６２ｃを縮径状態に保持している。このとき、各除去片６１、６２は位置決め面２２ｈより前側に突出しない位置にある。
【００９１】
ノズルガイド部２２のガイド面２２ｅに溶接トーチＺのノズルＮ及びチップＫを、ノズルＮの先端面Ｎ３が位置決め面２２ｈに突き当たるまで挿入する。各拡開部６１ｃ、６２ｃは、徐々に広がるように配置されているので、退避位置から進入完了位置まで、徐々に拡径していくことになる。
【００９２】
図１１、１６の進入完了位置において、押え部２２ｊは、各除去片６１、６２の前後方向における各拡開部６１ｃ、６２ｃの端縁部６１ｄ、６２ｄと当接して各除去片６１、６２を外側から拘束することにより、各拡開部６１ｃ、６２ｃを拡径状態に保持している。
【００９３】
このとき、各除去片６１、６２は、外側に付勢されて短手方向の端縁部６１ｄ、６２ｄがノズルＮの内周面Ｎ１に接触した状態になる。
【００９４】
スパッタ除去具１０Ａを、ノズルＮの中心線Ｃ（ノズルＮの軸線）に対して回転させながら引き抜く、このとき図１７（ａ）、（ｂ）に示すように、ノズルＮが外れてしまわないように右回りに回すのが望ましい。
【００９５】
各除去片６１、６２は、除去片６１、６２は、外側に付勢されて短手方向の端縁部６１ｄ、６２ｄがノズルＮの内周面Ｎ１に接触した状態にあるので、ノズルＮの外周面Ｎ２とガイド面２２ｅとの間の隙間によるガタつきがあっても、各除去片６１、６２の回転方向前側の短手方向の端縁部６１ｄ、６２ｄがノズルＮの内周面Ｎ１に接触可能となり、ノズルＮの内周面Ｎ１に付着したスパッタの除去を容易する。
【００９６】
スパッタ除去具１０Ａは、複数の除去片６１、６２で構成され、各除去片６１、６２は、弾性変形可能な部材でノズルＮの内周面Ｎ１を圧接可能に形成され、ノズルガイド部２２は、各除去片６１、６２を外側から拘束する円環状の押え部２２ｊを有している。
【００９７】
これによれば、押え部２２ｊにより、ガイド面２２ｅにノズルＮ及びチップＫを挿入するときに、退避位置では各除去片６１、６２を縮径状態とし、除去片６１、６２によってノズルＮ及びチップＫをキズつけることを防止し、進入完了位置に至るまで徐々に拡径させ、ノズルＮに対して各除去片６１、６２を回転させながら引き離す方向に引っ張ることで、容易にスパッタを剥離、除去することができる。また、スパッタ除去後の溶接作業において、スパッタの付着を防止したりすることもできる。
【００９８】
特に、小径のノズルを使用するときで、複数の除去片を先端側どうしで連結することが困難な場合に好適である。
【００９９】
本発明のスパッタ除去具は上記構成に限定されるものではない。即ち、本発明の要旨を逸脱しない限り各種の設計変更等が可能である。
【０１００】
例えば、除去部４０は、一対の除去片４１、４２で構成しているが、少なくとも一つの除去片で構成することもできるし、三つ以上の除去片で構成することもできる。
【０１０１】
また、除去部６０も、一対の除去片６１、６２で構成しているが、少なくとも一つの除去片で構成することもできるし、三つ以上の除去片で構成することもできる。
【０１０２】
また、除去片６１、６２は、基部６１ｂ、６２ｂの前端から屈曲して外側に向かって拡開するように延設された拡開部６１ｃ、６２ｃを有する構成としているが、ノズルＮの内周面Ｎ１に接触してスパッタを除去できるのであれば、湾曲させることも可能である。
【符号の説明】
【０１０３】
１０…スパッタ除去具、１０Ａ…スパッタ除去具、２０…本体部、２１ａ…挿通穴、２２…ノズルガイド部、２２ｅ…ガイド面、２２ｈ…位置決め面、２２ｊ…押え部、３０…保持ベース部、３０ｊ…スライド孔、３０ｋ…締結ボルト、４０…除去部、４１…除去片、４１ｃ…端縁部、４２…除去片、４２ｃ…端縁部、４３…連結部、４３ａ…ガイド孔、５０…保持ベース部、６０…除去部、６１…除去片、６１ｄ…端縁部、６２…除去片、６２ｄ…端縁部、８０…回転防止手段、Ｃ…中心線、Ｋ…チップ、Ｎ…ノズル、Ｎ１…内周面、Ｎ２…外周面、Ｎ３…先端面、Ｚ…溶接トーチ
【図１】
2014172064.tif 000003
【図２】
2014172064.tif 000004
【図３】
2014172064.tif 000005
【図４】
2014172064.tif 000006
【図５】
2014172064.tif 000007
【図６】
2014172064.tif 000008
【図７】
2014172064.tif 000009
【図８】
2014172064.tif 000010
【図９】
2014172064.tif 000011
【図１０】
2014172064.tif 000012
【図１１】
2014172064.tif 000013
【図１２】
2014172064.tif 000014
【図１３】
2014172064.tif 000015
【図１４】
2014172064.tif 000016
【図１５】
2014172064.tif 000017
【図１６】
2014172064.tif 000018
【図１７】
2014172064.tif 000019